(57)【要約】【課題】簡単な構成により受信状況に応じた画像信号の伝送を行うことができる画像信号送信装置、画像信号受信装置を提供すること。【解決手段】画像信号送信装置１は、画像信号を圧縮符号化する画像符号化部２と、圧縮符号化された画像信号を所定の伝送路符号化率に符号化する伝送路符号化部３と、伝送路符号化された画像信号を所定の変調多値数に調整して変調する多値変調部４と、変調された画像信号を送信する画像信号送信部５と、画像信号受信装置１０から送られる送信電力制御信号と誤りなし通知信号を受信する通知信号受信部６と、送信電力制御信号の受信回数に基づいて画像符号化部２の圧縮符号化率を調整し、誤りなし通知信号の受信回数に基づいて伝送路符号化率と変調多値数の少なくとも１つを制御して画像符号化部２の圧縮符号化率を調整する制御部７とを備える。【選択図】      図１
2004158983.tif 000002
【特許請求の範囲】
【請求項１】
画像信号を所定の圧縮符号化率で圧縮符号化する画像符号化部と、
前記画像符号化部により圧縮符号化された画像信号を所定の伝送路符号化率に符号化する伝送路符号化部と、
前記伝送路符号化部により符号化された画像信号を所定の変調多値数に調整して変調する多値変調部と、
前記多値変調部により変調された画像信号を送信する画像信号送信部と、
前記画像信号送信部から送信された画像信号を受信した受信側から送られる、送信電力の制御を要求する送信電力制御信号と復調した受信画像信号に誤りがないことを通知する誤りなし通知信号のいずれか一方もしくは両方を受信する通知信号受信部と、
前記通知信号受信部が受信した前記送信電力制御信号の受信回数に基づいて前記画像符号化部の前記圧縮符号化率を調整し、前記通知信号受信部が受信した前記誤りなし通知信号の受信回数に基づいて前記伝送路符号化率と前記変調多値数の少なくとも１つを制御して前記画像符号化部の前記圧縮符号化率を調整する制御部と
を備えることを特徴とする画像信号送信装置。
【請求項２】
所定の圧縮符号化率で圧縮符号化され且つ所定の伝送路符号化率に符号化され且つ所定の変調多値数に調整して変調されて送信された画像信号を受信する画像信号受信部と、
前記画像信号受信部が受信した画像信号を復調する画像信号復調部と、
画像信号復調部が復調した前記画像信号の受信状況を測定する受信状況測定部と、
前記受信状況測定部が測定した受信状況に応じて、送信電力の制御を要求する送信電力制御信号と復調した受信画像信号に誤りがないことを通知する誤りなし通知信号のいずれか一方もしくは両方を、当該画像信号を送信する送信側に送信する通知信号送信部と、
前記画像信号の送信側が前記送信電力制御信号と前記誤りなし通知信号の少なくとも１つに基づいて圧縮符号化率を変化させて送信した画像信号を、圧縮符号化率の変化に応じて表示画面部に表示するように調整する圧縮率調整部と
を備えることを特徴とする画像信号受信装置。
【請求項３】
画像信号を所定の圧縮符号化率で圧縮符号化する画像符号化部と、前記画像符号化部により圧縮符号化された画像信号を所定の伝送路符号化率に符号化する伝送路符号化部と、前記伝送路符号化部により符号化された画像信号を所定の変調多値数に調整して変調する多値変調部と、前記多値変調部により変調された画像信号を送信する画像信号送信部と、前記画像信号送信部から送信された画像信号を受信した画像信号受信部から送られる、送信電力の制御を要求する送信電力制御信号と復調した受信画像信号に誤りがないことを通知する誤りなし通知信号のいずれか一方もしくは両方を受信する通知信号受信部と、前記通知信号受信部が受信した前記送信電力制御信号の受信回数に基づいて前記画像符号化部の前記圧縮符号化率を調整し、前記通知信号受信部が受信した前記誤りなし通知信号の受信回数に基づいて前記伝送路符号化率と前記変調多値数の少なくとも１つを制御して前記画像符号化部の前記圧縮符号化率を調整する制御部とを含む画像信号送信部と、
前記画像信号送信部から送信される画像信号を受信する画像信号受信部と、前記画像信号受信部が受信した画像信号を復調する画像信号復調部と、画像信号復調部が復調した前記画像信号の受信状況を測定する受信状況測定部と、前記受信状況測定部が測定した受信状況に応じて、送信電力の制御を要求する送信電力制御信号と復調した受信画像信号に誤りがないことを通知する誤りなし通知信号のいずれか一方もしくは両方を、前記画像信号送信部の前記通知信号受信部に送信する通知信号送信部と、前記画像信号送信部が前記送信電力制御信号と前記誤りなし通知信号の少なくとも１つに基づいて圧縮符号化率を変化させて送信した画像信号を、圧縮符号化率の変化に応じて表示画面部に表示するように調整する圧縮率調整部とを含む画像信号受信部と
を備えることを特徴とする画像信号送受信装置。
【発明の詳細な説明】
【０００１】
【発明の属する技術分野】
本発明は、圧縮された画像信号を無線伝送する画像信号送信装置、無線伝送された画像信号を受信・復調し表示する画像信号受信装置、及び画像信号送受信装置に関する。
【０００２】
【従来の技術】
ビデオやＤＶＤ等から出力される画像信号をデジタル化し、デジタル化された画像信号をデジタル変調して伝送する画像信号送信装置が知られており、このような画像信号送信装置は、伝送データ量を減らすために、画像信号を圧縮符号化して画像信号受信装置に伝送する。
【０００３】
一般に、画像信号送信装置は、画像信号受信装置が画像信号をより広範囲で受信できるように、画像信号受信装置に対し圧縮画像の圧縮率を受信状況が最も悪い状況を想定した圧縮符号化率で画像信号を伝送する。従って、たとえ高画質な画像信号が送受信可能な状況であっても、受信状況が悪いときの画質で画像信号が伝送されるため、画像信号受信装置は必ずしも高画質の画像を表示することができない。
【０００４】
そこで、伝送路の状態を検出し、その検出結果に基づいて伝送路への送出レートを制御する映像送信装置が提案されている（例えば、特許文献１を参照）。
【０００５】
【特許文献１】
特開２０００−２４４９１９号公報
【０００６】
【発明が解決しようとする課題】
しかしながら、特許文献１に記載の映像送信装置のように、映像送信装置が伝送路の状態を検出し、その検出結果に基づいて伝送路への送出レートを制御するためには、映像送信装置側に複雑で大規模な信号処理回路等が必要となる。
【０００７】
本発明は、以上に述べた状況を鑑みて成されたものであり、画像信号受信装置からの受信状況通知信号を単純化し、簡単な構成により受信状況に応じた画像信号の伝送を行うことができる画像信号送信装置、画像信号受信装置、及び画像信号送受信装置を提供することを目的とする。
【０００８】
【課題を解決するための手段】
本発明に係る画像信号送信装置は、（ａ）画像信号を所定の圧縮符号化率で圧縮符号化する画像符号化部と、（ｂ）画像符号化部により圧縮符号化された画像信号を所定の伝送路符号化率に符号化する伝送路符号化部と、（ｃ）伝送路符号化部により符号化された画像信号を所定の変調多値数に調整して変調する多値変調部と、（ｄ）多値変調部により変調された画像信号を送信する画像信号送信部と、（ｅ）画像信号送信部から送信された画像信号を受信した受信側から送られる、送信電力の制御を要求する送信電力制御信号と復調した受信画像信号に誤りがないことを通知する誤りなし通知信号のいずれか一方もしくは両方を受信する通知信号受信部と、（ｆ）通知信号受信部が受信した送信電力制御信号の受信回数に基づいて画像符号化部の圧縮符号化率を調整し、通知信号受信部が受信した誤りなし通知信号の受信回数に基づいて伝送路符号化率と変調多値数の少なくとも１つを制御して画像符号化部の圧縮符号化率を調整する制御部とを備えることを特徴とする。
【０００９】
また、本発明に係る画像信号受信装置は、（ａ）所定の圧縮符号化率で圧縮符号化され且つ所定の伝送路符号化率に符号化され且つ所定の変調多値数に調整して変調されて送信された画像信号を受信する画像信号受信部と、（ｂ）画像信号受信部が受信した画像信号を復調する画像信号復調部と、（ｃ）画像信号復調部が復調した画像信号の受信状況を測定する受信状況測定部と、（ｄ）受信状況測定部が測定した受信状況に応じて、送信電力の制御を要求する送信電力制御信号と復調した受信画像信号に誤りがないことを通知する誤りなし通知信号のいずれか一方もしくは両方を、当該画像信号を送信する送信側に送信する通知信号送信部と、（ｅ）画像信号の送信側が送信電力制御信号と誤りなし通知信号の少なくとも１つに基づいて圧縮符号化率を変化させて送信した画像信号を、圧縮符号化率の変化に応じて表示画面部に表示するように調整する圧縮率調整部とを備えることを特徴とする。
【００１０】
また、本発明に係る画像信号送受信装置は、（１）画像信号送信部と（２）画像信号受信部とを備え、画像信号送信部は、（１ａ）画像信号を所定の圧縮符号化率で圧縮符号化する画像符号化部と、（１ｂ）画像符号化部により圧縮符号化された画像信号を所定の伝送路符号化率に符号化する伝送路符号化部と、（１ｃ）伝送路符号化部により符号化された画像信号を所定の変調多値数に調整して変調する多値変調部と、（１ｄ）多値変調部により変調された画像信号を送信する画像信号送信部と、（１ｅ）画像信号送信部から送信された画像信号を受信した画像信号受信部から送られる、送信電力の制御を要求する送信電力制御信号と復調した受信画像信号に誤りがないことを通知する誤りなし通知信号のいずれか一方もしくは両方を受信する通知信号受信部と、（１ｆ）通知信号受信部が受信した送信電力制御信号の受信回数に基づいて画像符号化部の圧縮符号化率を調整し、通知信号受信部が受信した誤りなし通知信号の受信回数に基づいて伝送路符号化率と変調多値数の少なくとも１つを制御して画像符号化部の圧縮符号化率を調整する制御部とを含み、画像信号受信部は、（２ａ）前記画像信号送信部から送信される画像信号を受信する画像信号受信部と、（２ｂ）画像信号受信部が受信した画像信号を復調する画像信号復調部と、（２ｃ）画像信号復調部が復調した画像信号の受信状況を測定する受信状況測定部と、（２ｄ）受信状況測定部が測定した受信状況に応じて、送信電力の制御を要求する送信電力制御信号と復調した受信画像信号に誤りがないことを通知する誤りなし通知信号のいずれか一方もしくは両方を、前記画像信号送信部の前記通知信号受信部に送信する通知信号送信部と、（２ｅ）前記画像信号送信部が送信電力制御信号と誤りなし通知信号の少なくとも１つに基づいて圧縮符号化率を変化させて送信した画像信号を、圧縮符号化率の変化に応じて表示画面部に表示するように調整する圧縮率調整部とを含むことを特徴とする。
【００１１】
すなわち、本発明においては、画像信号受信装置は、画像信号送信装置の送信電力を上げるか／下げるかを２者択一で指示する送信電力制御信号と、復調した受信画像信号に誤りがあるか／ないかを通知する誤りなし通知信号といった、単純化した受信状況通信信号を画像信号送信装置に送る。それに対して、画像信号送信装置は、画像信号受信装置から送られる単純化された受信状況通信信号に基づいて、画像信号の受信状況が良い場合には画像圧縮率を低くして画像信号受信装置が高画質の画像を受信できるように制御し、画像信号の受信状況が悪い場合には画像圧縮率を高くして画像信号受信装置が画像を良好に受信できるように制御する。
【００１２】
このような単純化された受信状況通信信号により、受信状況に応じた画像信号の伝送を行うことができることができ、しかも画像信号送信装置の信号処理回路を簡素に構成することができる。
【００１３】
【発明の実施の形態】
以下、図１〜図７を参照しながら、本発明の実施形態について詳しく説明する。尚、各図面を通じて同一もしくは同等の部位や構成要素には、同一もしくは同等の参照符号を付し、その説明を省略もしくは簡略化する。
【００１４】
［画像信号送信装置の構成］
図１に示すように、本実施形態による画像信号送信装置１は、（ａ）画像信号を所定の圧縮符号化率で圧縮符号化する画像符号化部２と、（ｂ）画像符号化部２により圧縮符号化された画像信号を所定の伝送路符号化率に符号化する伝送路符号化部３と、（ｃ）伝送路符号化部３により符号化された画像信号を所定の変調多値数に調整して変調する多値変調部４と、（ｄ）多値変調部４により変調された画像信号を送信する画像信号送信部５と、（ｅ）画像信号送信部５から送信された画像信号を受信した受信側（画像信号受信装置１０）から送られる、送信電力の制御を要求する送信電力制御信号と復調した受信画像信号に誤りがないことを通知する誤りなし通知信号のいずれか一方もしくは両方からなる受信状況通知信号を受信する通知信号受信部６と、（ｆ）通知信号受信部６が受信した送信電力制御信号の受信回数に基づいて画像符号化部２の圧縮符号化率を調整し、通知信号受信部６が受信した誤りなし通知信号の受信回数に基づいて伝送路符号化率と変調多値数の少なくとも１つを制御して画像符号化部２の圧縮符号化率を調整する制御部７などを備える。
【００１５】
［画像信号受信装置の構成］
図２に示すように、本実施形態による画像信号受信装置１０は、（ａ）所定の圧縮符号化率で圧縮符号化され且つ所定の伝送路符号化率に符号化され且つ所定の変調多値数に調整して変調されて送信された画像信号を受信する画像信号受信部１１と、（ｂ）画像信号受信部１１が受信した画像信号を復調する画像信号復調部１２と、（ｃ）画像信号復調部１２が復調した画像信号の受信状況を測定する受信状況測定部１３と、（ｄ）受信状況測定部１３が測定した受信状況に応じて、送信電力の制御を要求する送信電力制御信号と復調した受信画像信号に誤りがないことを通知する誤りなし通知信号のいずれか一方もしくは両方からなる受信状況通知信号を、当該画像信号を送信する送信側（画像信号送信装置１）に送信する通知信号送信部１６と、（ｅ）画像信号の送信側（画像信号送信装置１）が受信状況通知信号に基づいて圧縮符号化率を変化させて送信した画像信号を、圧縮符号化率の変化に応じて画像表示画面部１５に表示するように調整する圧縮率調整部１４などを備える。
【００１６】
［画像信号受信装置の処理動作］
次に、図３に示すフローチャートを参照しながら、画像信号受信装置１０の処理動作例（画像信号受信処理）について説明する。
【００１７】
ステップＳ０の処理において、画像信号受信部１１は、画像信号送信装置１が送信した画像信号を受信する。
【００１８】
ステップＳ１の処理において、画像信号復調部１２は、画像信号受信部１１にて受信した画像信号を復調する。
【００１９】
ステップＳ２の処理において、圧縮率調整部１４は、画像信号復調部１２にて復調された画像信号を、圧縮符号化率の変化に応じて画像表示画面部１５に表示するように調整し、ステップＳ３の処理において画像表示画面部１５にて表示される。
【００２０】
一方、ステップＳ２〜ステップＳ３の処理の並行して、ステップＳ４の処理において、受信状況測定部１３は、受信した画像信号の状態（受信状態）の測定を行う。
【００２１】
更に、ステップＳ５の処理において、受信状況測定部１３が測定した受信状況に応じて、通知信号送信部１６は、送信電力の制御を要求する信号（送信電力制御信号）を受信状況通知信号として、当該画像信号を送信する画像信号送信装置１に送信する。送信電力制御信号は、画像信号送信装置１に画像信号を送信する際の送信電力を上げるか／下げるかを２者択一で指示する制御信号であり、受信状況（電波状況）が悪いときには送信電力を上げる指示をし、受信状況（電波状況）が良いときには送信電力を下げる指示をする。
【００２２】
また、ステップＳ６の処理において、通知信号送信部１６は、画像信号復調部１２が復調した受信画像信号に誤りがないことを通知する誤りなし通知信号を受信状況通知信号として、当該画像信号を送信する画像信号送信装置１に送信する。誤りなし通知信号は、復調した受信画像信号に誤りがあったか／なかったかを画像信号送信装置１に指示する通知信号であり、本実施形態においては、復調した受信画像信号に誤りがなかった場合に誤りなし通知信号を送信するものとする。
【００２３】
尚、ステップＳ５における送信電力制御信号とステップＳ６における誤りなし通知信号は、どちらか一方のみを画像信号送信装置１に送信するように構成しても良いし、送信電力制御信号と誤りなし通知信号の両方を画像信号送信装置１に送信するように構成しても良い。
【００２４】
画像信号受信装置１０は、以上の処理を画像信号送信装置１から送られる画像信号が終わるまで繰り返す。
【００２５】
［画像信号送信装置の処理動作（１）］
次に、図４に示すフローチャートを参照しながら、画像信号受信装置１０から送信電力制御信号を受信した際の画像信号送信装置１の処理動作例（画像信号送信処理）について説明する。
【００２６】
ステップＳ１０の処理において、通知信号受信部６は、画像信号受信装置１０から送信電力制御信号を受信する。
【００２７】
ステップＳ１１の処理において、制御部７は、通知信号受信部６が受信した送信電力制御信号が、送信電力を上げることを要求する信号（＝画像信号受信装置１０における電波状況が悪い旨の信号）であるか、送信電力を下げることを要求する信号（＝画像信号受信装置１０における電波状況が良好である旨の信号）のどちらであるかを判別する。そして、判別の結果、受信した送信電力制御信号が送信電力を上げることを要求する信号である場合、ステップＳ１２の処理に進み、受信した送信電力制御信号が送信電力を下げることを要求する信号である場合には、ステップＳ２２の処理に進む。
【００２８】
ステップＳ１２の処理において、制御部７は、送信電力を上げることを要求する送信電力制御信号の受信回数（送信電力アップの受信回数）に１を加算する。
【００２９】
ステップＳ１３の処理において、制御部７は、受信した送信電力を上げることを要求する送信電力制御信号に従って、画像信号受信装置１０が画像信号を良好に受信できるように、送信電力を上げるように画像信号送信部５を制御する。
【００３０】
ステップＳ１４の処理において、制御部７は、送信電力アップの受信回数が所定の閾値ＴＨ１（例えば、ＴＨ１＝５）に達したか否かを判別する。判別の結果、閾値ＴＨ１に達していない場合は、ステップＳ１０の処理に戻る。
【００３１】
一方、ステップＳ１４の判別の結果、送信電力アップの受信回数が閾値ＴＨ１に達した場合、つまり、画像信号受信装置１０から電波状況が悪い旨の通知が度重なって送られて来た場合、ステップＳ１５の処理において、制御部７は、画像信号の画像圧縮率を所定の画像圧縮率に上げるように画像符号化部２を制御して、画像信号受信装置１０が画像信号を良好に受信できるようにする。
【００３２】
更に、ステップＳ１６の処理において、制御部７は、送信電力アップの受信回数をクリアして、ステップＳ１０の処理に戻る。
【００３３】
一方、ステップＳ１１の判別の結果、受信した送信電力制御信号が送信電力を下げることを要求する信号である場合、ステップＳ２２の処理において、制御部７は、送信電力を下げることを要求する送信電力制御信号の受信回数（送信電力ダウンの受信回数）に１を加算する。
【００３４】
ステップＳ２３の処理において、制御部７は、受信した送信電力を下げることを要求する送信電力制御信号に従って、送信電力を所定の電力に下げるように画像信号送信部５を制御する。
【００３５】
ステップＳ２４の処理において、制御部７は、送信電力ダウンの受信回数が所定の閾値ＴＨ２（例えば、ＴＨ２＝５）に達したか否かを判別する。判別の結果、所定の閾値ＴＨ２に達していない場合は、ステップＳ１０の処理に戻る。
【００３６】
一方、ステップＳ２４の判別の結果、送信電力ダウンの受信回数が所定の閾値ＴＨ２に達した場合、つまり、画像信号受信装置１０から電波状況が良好である旨の通知が度重なって送られて来た場合、ステップＳ２５の処理において、制御部７は、画像信号受信装置１０が高画質の画像信号を受信できるように、画像信号の画像圧縮率を所定の画像圧縮率に下げるように画像符号化部２を制御する。
【００３７】
更に、ステップＳ２６の処理において、制御部７は、送信電力ダウンの受信回数をクリアして、ステップＳ１０の処理に戻る。
【００３８】
画像信号送信装置１は、以上の処理を、画像信号受信装置１０から送信電力制御信号を受信する度に繰り返し実行する。
【００３９】
［画像信号送信装置の動作（２）］
次に、図５に示すフローチャートを参照しながら、画像信号受信装置１０から誤りなし通知信号を受信した際の画像信号送信装置１の処理動作例（画像信号送信処理）について説明する。
【００４０】
ステップＳ３０の処理において、制御部７は、通知信号受信部６が画像信号受信装置１０から誤りなし通知信号を受信したか否かを判別する。そして、判別の結果、通知信号受信部６が誤りなし通知信号を受信した場合、ステップＳ３１の処理に進み、通知信号受信部６が誤りなし通知信号を受信しなかった場合には、ステップＳ４１の処理に進む。
【００４１】
ステップＳ３１の処理において、制御部７は、誤りなし通知信号の受信回数に１を加算する。
【００４２】
ステップＳ３２の処理において、制御部７は、誤りなし通知信号の受信回数が所定の閾値ＴＨ３（例えば、ＴＨ３＝５）に達した場合にはステップＳ３３の処理に進み、もしくは誤りなし通知信号の受信回数が所定の閾値ＴＨ４（例えば、ＴＨ４＝８）に達した場合にはステップＳ３６の処理に進み、誤りなし通知信号の受信回数が閾値ＴＨ３にも閾値ＴＨ４にも達していない場合は、ステップＳ３０の処理に戻る。
【００４３】
ステップＳ３２の判別の結果、誤りなし通知信号の受信回数が閾値ＴＨ３に達した場合、制御部７は、ステップＳ３３の処理において変調多値数を上げるように多値変調部４を制御すると共に、ステップＳ３４の処理において伝送路符号化率を下げるように伝送路符号化部３を制御する。更に制御部７は、ステップＳ３５の処理において画像圧縮率を下げるように画像符号化部２を制御して、画像信号受信装置１０が高画質の画像信号を受信できるようにする。
【００４４】
また、ステップＳ３２の判別の結果、誤りなし通知信号の受信回数が閾値ＴＨ４に達した場合、つまり、誤りなし通知信号が更に繰り返し送られて来た場合、制御部７は、ステップＳ３６の処理において伝送路符号化率を上げるように伝送路符号化部３を制御し、ステップＳ３８の処理において画像圧縮率を更に下げるように画像符号化部２を制御して、画像信号受信装置１０が高画質の画像信号を受信できるようにする。更に、ステップＳ３８の処理において、制御部７は、誤りなし通知信号の受信回数をクリアして、ステップＳ３０の処理に戻る。
【００４５】
一方、ステップＳ３０の判別の結果、通知信号受信部６が誤りなし通知信号を受信しなかった場合（誤りなし通知信号を受信すべきタイミングで受信しなかった場合）には、ステップＳ４１の処理において、制御部７は、誤りなし通知信号を受信しなかった回数に１を加算する。
【００４６】
ステップＳ４２の処理において、制御部７は、誤りなし通知信号を受信しなかった回数が所定の閾値ＴＨ５（例えば、ＴＨ５＝５）に達した場合にはステップＳ４３の処理に進み、もしくは誤りなし通知信号を受信しなかった回数が所定の閾値ＴＨ６（例えば、ＴＨ６＝８）に達した場合にはステップＳ４６の処理に進み、誤りなし通知信号を受信しなかった回数が閾値ＴＨ５にも閾値ＴＨ６にも達していない場合は、ステップＳ３０の処理に戻る。
【００４７】
ステップＳ４２の判別の結果、誤りなし通知信号を受信しなかった回数が閾値ＴＨ５に達した場合、制御部７は、ステップＳ４３の処理において変調多値数を下げるように多値変調部４を制御すると共に、ステップＳ４４の処理において伝送路符号化率を上げるように伝送路符号化部３を制御する。更に制御部７は、ステップＳ４５の処理において画像圧縮率を上げるように画像符号化部２を制御して、画像信号受信装置１０が画像信号を良好に受信できるようにする。
【００４８】
また、ステップＳ４２の判別の結果、誤りなし通知信号を受信しなかった回数が閾値ＴＨ６に達した場合、つまり、誤りなし通知信号が更にまだ送られて来ない場合、制御部７は、ステップＳ４６の処理において伝送路符号化率を下げるように伝送路符号化部３を制御し、ステップＳ４７の処理において画像圧縮率を更に上げるように画像符号化部２を制御して、画像信号受信装置１０が画像信号を良好に受信できるようにする。更に、ステップＳ４８の処理において、制御部７は、誤りなし通知信号を受信しなかった回数をクリアして、ステップＳ３０の処理に戻る。
【００４９】
画像信号送信装置１は、以上の処理を、画像信号送信部５から送信する画像信号を、送信し終えるまで繰り返し実行する。
【００５０】
ここで、変調多値数と伝送路符号化率に応じた伝送可能速度を図６に示す。図６（ａ）は、無線伝送規格  ＩＥＥＥ８０２．１１ａ  における、多値変調（「ＢＰＳＫ」「ＱＰＳＫ」「１６ＱＡＭ」「６４ＱＡＭ」）と、伝送路符号化率（「１／２」「２／３」「３／４」）に応じた伝送速度（単位：Ｍｂｐｓ（メガビット毎秒））の変化の様子を示している。また、図６（ｂ）は、図６（ａ）に示した伝送可能速度において、全ての伝送速度で伝送が可能な状況であることを示している。
【００５１】
例えば、伝送速度が  １８Ｍｂｐｓ  であったとすると、図５に示した処理において、ステップＳ３３の処理において変調多値数を「ＱＰＳＫ（Ｑｕａｄｒａｔｕｒｅ  Ｐｈａｓｅ  Ｓｈｉｆｔ  Ｋｅｙｉｎｇ）」から「１６ＱＳＡＭ（ｓｉｘｔｅｅｎ  Ｑｕａｄｒａｔｕｒｅ  Ａｍｐｌｉｔｕｄｅ  Ｍｏｄｕｌａｔｉｏｎ）」に上げるように多値変調部４を制御すると共に、ステップＳ３４の処理において伝送路符号化率を「３／４」から「１／２」に下げるように伝送路符号化部３を制御することで、伝送可能な速度が  ２４Ｍｂｐｓ  に増加する。
【００５２】
また、伝送速度が  ２４Ｍｂｐｓ  であったとすると、ステップＳ４３の処理において変調多値数を「１６ＱＳＡＭ」から「ＱＰＳＫ」に下げるように多値変調部４を制御すると共に、ステップＳ４４の処理において伝送路符号化率を「１／２」から「３／４」に上げるように伝送路符号化部３を制御することで、伝送速度は  １８Ｍｂｐｓ  に減少する。
【００５３】
また、図６（ｃ）は、図６（ａ）に示した伝送可能速度において、１８Ｍｂｐｓ  まで伝送が可能な状況であることを示し、例えば、図５に示した処理において伝送可能な速度を変化させた場合、１８Ｍｂｐｓ  を境にして、伝送可能な速度が  １８Ｍｂｐｓ  より速くなると画像信号を  １８Ｍｂｐｓ  の伝送レートで伝送し、伝送可能な速度が  １８Ｍｂｐｓ  より遅くなると画像信号を  １２Ｍｂｐｓ  の伝送レートで伝送する。
【００５４】
［画像信号送受信装置の構成］
上記実施形態においては、画像信号送信装置１と画像信号受信装置１０とを別々に構成した例を示したが、画像信号送信装置１が備える各構成要素と画像信号受信装置１０が備える各構成要素を共に含んだ、画像信号送受信装置４０として構成することもできる。
【００５５】
図７に示すように、画像信号送受信装置４０は、（１）画像信号送信部２１と（２）画像信号受信部３０とを備える。
【００５６】
画像信号送信部２１は、（１ａ）画像信号を所定の圧縮符号化率で圧縮符号化する画像符号化部２と、（１ｂ）画像符号化部２により圧縮符号化された画像信号を所定の伝送路符号化率に符号化する伝送路符号化部３と、（１ｃ）伝送路符号化部３により符号化された画像信号を所定の変調多値数に調整して変調する多値変調部４と、（１ｄ）多値変調部４により変調された画像信号を送信する画像信号送信部５と、（１ｅ）画像信号送信部５から送信された画像信号を受信した画像信号受信部３０（画像信号受信装置１０）から送られる、送信電力の制御を要求する送信電力制御信号と復調した受信画像信号に誤りがないことを通知する誤りなし通知信号のいずれか一方もしくは両方を受信する通知信号受信部６と、（１ｆ）通知信号受信部６が受信した送信電力制御信号の受信回数に基づいて画像符号化部２の圧縮符号化率を調整し、通知信号受信部６が受信した誤りなし通知信号の受信回数に基づいて伝送路符号化率と変調多値数の少なくとも１つを制御して画像符号化部２の圧縮符号化率を調整する制御部７などを含む。
【００５７】
画像信号受信部３０は、（２ａ）画像信号送信部２１（画像信号送信装置１）から送信される画像信号を受信する画像信号受信部１１と、（２ｂ）画像信号受信部１１が受信した画像信号を復調する画像信号復調部１２と、（２ｃ）画像信号復調部１２が復調した画像信号の受信状況を測定する受信状況測定部１３と、（２ｄ）受信状況測定部１３が測定した受信状況に応じて、送信電力の制御を要求する送信電力制御信号と復調した受信画像信号に誤りがないことを通知する誤りなし通知信号のいずれか一方もしくは両方を、画像信号送信部２１（画像信号送信装置１）の通知信号受信部６に送信する通知信号送信部１６と、（２ｅ）画像信号送信部２１（画像信号送信装置１）が送信電力制御信号と誤りなし通知信号の少なくとも１つに基づいて圧縮符号化率を変化させて送信した画像信号を、圧縮符号化率の変化に応じて画像表示画面部１５に表示するように調整する圧縮率調整部１４などを含む。
【００５８】
尚、画像信号送受信装置４０において、画像信号受信部３０が実行する処理動作は、図３のフローチャートに示した処理動作と同等であり、画像信号送信部２１が実行する処理動作は、図４〜図５の各フローチャートに示した処理動作と同等であるため、その説明を省略する。
【００５９】
以上の説明から明らかなように、本実施形態においては、画像信号受信装置１０は、画像信号送信装置１の送信電力を上げるか／下げるかを２者択一で指示する送信電力制御信号と、復調した受信画像信号に誤りがあるか／ないかを通知する誤りなし通知信号といった、単純化した受信状況通信信号を画像信号送信装置１に送る。それに対して、画像信号送信装置１は、画像信号受信装置１０から送られる単純化された受信状況通信信号に基づいて、画像信号の受信状況が良い場合には画像圧縮率を低くして画像信号受信装置１０が高画質の画像を受信できるように制御し、画像信号の受信状況が悪い場合には画像圧縮率を高くして画像信号受信装置１０が画像を良好に受信できるように制御する。
【００６０】
このような単純化された受信状況通信信号により、受信状況に応じた画像信号の伝送を行うことができることができ、しかも画像信号送信装置１の信号処理回路等を簡素に構成することができる。
【００６１】
以上、本発明の実施の形態を詳細に説明したが、本発明は、その精神または主要な特徴から逸脱することなく、他の色々な形で実施することができる。
【００６２】
例えば、閾値ＴＨ１〜ＴＨ６の値としては、本実施形態において例示した各値に限定されず、設計に応じた様々な値に変更することができる。
【００６３】
また、送信電力制御信号について、画像信号送信装置１の送信電力を上げるか／下げるかを２者択一で指示する例を示したが、例えば、送信電力を上げるか／下げるか／維持するかの３者択一で指示するようにしても良い。
【００６４】
更にまた、誤りなし通知信号について、復調した受信画像信号に誤りがなかった場合にのみ、その旨を通知する例を示したが、例えば、復調した受信画像信号に誤りがあるか／ないかを２者択一で通知するようにしても良い。
【００６５】
このように、前述の実施形態はあらゆる点で単なる例示に過ぎず、限定的に解釈してはならない。本発明の範囲は、特許請求の範囲によって示すものであって、明細書本文には何ら拘束されない。更に、特許請求の範囲の均等範囲に属する変形や変更は、全て本発明の範囲内のものである。
【００６６】
【発明の効果】
本発明によれば、単純化された受信状況通知信号により、簡素な構成で、受信状況に応じた画像信号の伝送を行うことができる。
【図面の簡単な説明】
【図１】本実施形態による画像信号送信装置の構成例を示す概略ブロック図である。
【図２】本実施形態による画像信号受信装置の構成例を示す概略ブロック図である。
【図３】図２に示す画像信号受信装置の処理動作例を示すフローチャートである。
【図４】送信電力制御信号を受信した際の、図１に示す画像信号送信装置の処理動作例を示すフローチャートである。
【図５】画像信号受信装置から誤りなし信号を受信した場合と受信しなかった場合の、図１に示す画像信号送信装置の処理動作例を示すフローチャートである。
【図６】変調多値数と伝送路符号化率に応じた伝送可能速度を例示する説明図である。
【図７】本実施形態による画像信号送受信装置の構成例を示す概略ブロック図である。
【符号の説明】
１…画像信号送信装置
２…画像符号化部
３…伝送路符号化部
４…多値変調部
５…画像信号送信部
６…通知信号受信部
７…制御部
１０…画像信号受信装置
１１…画像信号受信部
１２…画像信号復調部
１３…受信状況測定部
１４…圧縮率調整部
１５…画像表示画面部
１６…通知信号送信部
２１…画像信号送信部
３０…画像信号受信部
４０…画像信号送受信装置
【図１】
2004158983.tif 000003
【図２】
2004158983.tif 000004
【図３】
2004158983.tif 000005
【図４】
2004158983.tif 000006
【図５】
2004158983.tif 000007
【図６】
2004158983.tif 000008
【図７】
2004158983.tif 000009